(57)【要約】      （修正有）【課題】主弁内の部材の数量を減らし、主弁の製造コストを減少させる空調システムの電磁パイロット三方弁を提供する。【解決手段】電磁パイロット三方弁は、主弁１及びパイロット弁２を備え、主弁１は主弁体１１と、ピストン１２と、ブラケット１３と、スライドブロック１４と、第一弾性部材１５とを含む。ピストン１２により主弁体１１内部の空間が第一圧力室１１１及び第二圧力室１１２に分割され、スライドブロック１４とピストン１２との間はブラケット１３により連結され、主弁体１１は第二圧力室１１２に対応する部位にＡ連通管１０、Ｂ連通管２０及びＣ連通管３０が連結され、パイロット弁２にはａ毛細管４０、ｂ毛細管５０及びｃ毛細管６０が連結される。パイロット弁２によりｂ毛細管５０のａ毛細管４０或いはｃ毛細管６０への連通が制御され、ｂ毛細管５０が第一圧力室１１１に連結され、ｃ毛細管６０がＣ連通管３０に連通される。【選択図】図１
0003203262.tif 000002
【実用新案登録請求の範囲】
【請求項１】
電磁パイロット式三方弁は、主弁及びパイロット弁を備え、前記主弁は主弁体と、ピストンと、ブラケットと、スライドブロックと、第一弾性部材とを含む、前記ピストンにより主弁体内部の空間が第一圧力室及び第二圧力室に分割され、前記スライドブロックとピストンとの間はブラケットにより連結され、前記主弁体は第二圧力室に対応する部位にＡ連通管、Ｂ連通管及びＣ連通管が連結され、前記パイロット弁にはａ毛細管、ｂ毛細管及びｃ毛細管が連結される、前記パイロット弁によりｂ毛細管のａ毛細管或いはｃ毛細管への連通が制御され、前記ｂ毛細管が第一圧力室に連結され、前記ｃ毛細管がＣ連通管に連通される。ｂ毛細管がｃ毛細管に連通される状態では、第一弾性部材によりピストンが駆動されて第一圧力室に向けて移動し、Ａ連通管がＢ連通管に連通される、ｂ毛細管がａ毛細管に連通される状態では、ａ毛細管内に入れられる高圧ガスにより、ピストンが駆動されて第二圧力室に向けて移動し、Ａ連通管がＣ連通管に連通されることを特徴とする電磁パイロット三方弁及び空調システム。
【請求項２】
前記主弁は第二圧力室内に設置される弁座部材をさらに備え、前記第一弾性部材はピストンと弁座部材との間に挟持される、ことを特徴とする請求項1に記載の電磁パイロット三方弁及び空調システム。
【請求項３】
前記弁座部材は弁座及び弁座に連結される支持フレームを備え、前記第一弾性部材の一端がピストンに当接され、前記第一弾性部材の他端が弁座及び支持フレームにそれぞれ当接される、ことを特徴とする請求項2に記載の電磁パイロット三方弁及び空調システム。
【請求項４】
前記スライドブロックとブラケットとの間には第二弾性部材が挟持され、前記スライドブロックは第二弾性部材に推動されてブラケットに従って移動すると共に弁座に貼り合わされる、ことを特徴とする請求項3に記載の電磁パイロット三方弁及び空調システム。
【請求項５】
前記支持フレームには切欠き部が設けられる、ことを特徴とする請求項3に記載の電磁パイロット三方弁及び空調システム。
【請求項６】
前記支持フレームが弁座に連結された後に包囲されて環状の経路が形成され、前記ブラケット及びスライドブロックが環状の経路を貫通させる、ことを特徴とする請求項3に記載の電磁パイロット三方弁及び空調システム。
【請求項７】
前記ブラケットには通気孔が設けられる、ことを特徴とする請求項1に記載の電磁パイロット三方弁及び空調システム。
【請求項８】
空調システムは、コンプレッサと、四方切換弁と、室内熱交換器と、スロットル部材と、室外熱交換器と、流路切換弁とを備える、前記室内熱交換器及び流路切換弁は四方切換弁によりコンプレッサにそれぞれ連通され、前記室内熱交換器と室外熱交換器との間はスロットル部材により連通され、前記流路切換弁は室外熱交換器に連通される、前記流路切換弁は上述の請求項1ないし7のいずれかの請求項に記載の電磁パイロット三方弁であることを特徴とする電磁パイロット三方弁及び空調システム。
【考案の詳細な説明】
【技術分野】
【０００１】
本実用新案は、電磁パイロット三方弁及び空調システムに関する。
【背景技術】
【０００２】
現在の空調システムは流路切換弁を備え、前記流路切換弁には電機、減速歯車及びスライドブロックが設置され、電機により減速歯車が駆動されて回転し、減速歯車によりスライドブロックが連動されて回転することで、流路切換弁の異なる弁口の開閉状態が切り換えられる。スライドブロックは流路切換弁の弁口の直径の変化に従って相応の改変が行われる。
【考案の概要】
【考案が解決しようとする課題】
【０００３】
しかしながら、前述した従来の技術では、即ち、流路切換弁の弁口が増大すると、スライドブロックが駆動されて弁口を密封する作用力が増大する。即ち、スライドブロックと流路切換弁との間の摩擦力が増大すると、電機が減速歯車によりスライドブロックを連動させて回転させる作用力も相応に増強される。このため、現在の流路切換弁は汎用性が低く、構造が複雑である等の欠点を有する。そこで、本考案者は上記の欠点が改善可能と考え、鋭意検討を重ねた結果、合理的設計で上記の課題を効果的に改善する本考案の提案に到った。
【０００４】
本実用新案は、以上の実情に鑑みなされたものであって、上記課題解決のため、本考案は、電磁パイロット三方弁及び空調システムを提供することを主目的とする。
【課題を解決するための手段】
【０００５】
上述した課題を解決し、上記目的を達成するための本考案は、本考案に係る電磁パイロット三方弁は、主弁及びパイロット弁を備え、前記主弁は主弁体と、ピストンと、ブラケットと、スライドブロックと、第一弾性部材とを含む。前記ピストンにより主弁体内部の空間が第一圧力室及び第二圧力室に分割され、前記スライドブロックとピストンとの間はブラケットにより連結され、前記主弁体は第二圧力室に対応する部位にＡ連通管、Ｂ連通管及びＣ連通管が連結され、前記パイロット弁にはａ毛細管、ｂ毛細管及びｃ毛細管が連結される。前記パイロット弁によりｂ毛細管のａ毛細管或いはｃ毛細管への連通が制御され、前記ｂ毛細管が第一圧力室に連結され、前記ｃ毛細管がＣ連通管に連通される。ｂ毛細管がｃ毛細管に連通される状態では、第一弾性部材によりピストンが駆動されて第一圧力室に向けて移動し、Ａ連通管がＢ連通管に連通される。ｂ毛細管がａ毛細管に連通される状態では、ａ毛細管内に入れられる高圧ガスにより、ピストンが駆動されて第二圧力室に向けて移動し、Ａ連通管がＣ連通管に連通される。
【０００６】
本実用新案の好ましい実施の形態では、スライドブロックとピストンとの間はブラケットにより連結され、ｂ毛細管がｃ毛細管に連通される状態では、 第一弾性部材によりピストンが駆動されて第一圧力室に向けて移動し、スライドブロックがピストンに従って一緒に第一圧力室の方向に移動する。この過程では、第一弾性部材の弾性位置エネルギーが十分大きければ、ピストンが主弁体との間の摩擦作用力を克服でき、これにより、スライドブロックが連動されて移動する。同様に、ｂ毛細管がａ毛細管に連通される状態では、ａ毛細管内に入れられる高圧ガスによりピストンが駆動されて第二圧力室に向けて移動し、スライドブロックがピストンに従って一緒に第二圧力室の方向に移動する。この過程では、高圧ガスの圧力値が十分大きければ、ピストンが主弁体との間の摩擦作用力を克服でき、これにより、スライドブロックが連動されて移動する。即ち、Ａ連通管、Ｂ連通管及びＣ連通管のどの１本或いは複数本の管径の大きさが改変されても、ａ毛細管内に入れられる高圧ガスの圧力が十分大きく、第一弾性部材から解放される弾性位置エネルギーが十分大きければ、スライドブロックがピストンに従って移動する。この設計により、本考案に係る電磁パイロット三方弁が異なる管径のＡ連通管、Ｂ連通管及びＣ連通管に適用可能になる。
【０００７】
また、第一弾性部材によりピストンが駆動されて第一圧力室に向けて移動し、これにより、第二圧力室内に高圧ガスを入れる必要がなくなる。この設計により、主弁とパイロット弁との間の連結構造が簡略化され、電磁パイロット三方弁の製造コストが低下する。
【０００８】
好ましくは、前記主弁は第二圧力室内に設置される弁座部材をさらに備え、前記第一弾性部材はピストンと弁座部材との間に挟持される。この設計により、弾性部材から解放される弾性位置エネルギーにより、ピストンが駆動されて第一圧力室に向けて移動する。
【０００９】
好ましくは、前記弁座部材は弁座及び弁座に連結される支持フレームを備え、前記第一弾性部材の一端がピストンに当接され、前記第一弾性部材の他端が弁座及び支持フレームにそれぞれ当接される。この設計により、第一弾性部材から解放される弾性位置エネルギーがピストンの椀状の底側に均等に作用し、ピストンが移動過程で傾斜するのを回避させる。
【００１０】
好ましくは、前記スライドブロックとブラケットとの間には第二弾性部材が挟持され、前記スライドブロックは第二弾性部材に推動されてブラケットに従って移動すると共に弁座に貼り合わされる。第二弾性部材はスライドブロックの弁座に対する力を加える。
【００１１】
好ましくは、前記支持フレームには切欠き部が設けられる。切欠き部は第二圧力室の支持フレームの二側に位置される冷却剤の流通の増加に用いられる。
【００１２】
好ましくは、前記支持フレームが弁座に連結された後に包囲されて環状の経路が形成され、前記ブラケット及びスライドブロックが環状の経路を貫通させる。環状の経路はスライドブロックが第二圧力室内での移動過程で回転するのを回避させる。
【００１３】
好ましくは、前記ブラケットには通気孔が設けられる。通気孔により第二圧力室のブラケットの二端に位置される冷却剤の流通が増加される。
【００１４】
本実用新案に係る空調システムは、コンプレッサと、四方切換弁と、室内熱交換器と、スロットル部材と、室外熱交換器と、流路切換弁とを備える。前記室内熱交換器及び流路切換弁は四方切換弁によりコンプレッサにそれぞれ連通され、前記室内熱交換器と室外熱交換器との間はスロットル部材により連通され、前記流路切換弁は室外熱交換器に連通される。前記流路切換弁は上述の何れか１つの技術手段による電磁パイロット三方弁である。
【図面の簡単な説明】
【００１５】
【図１】本実用新案の好ましい実施の形態の空調システムを示す構成概念図（除霜状態の場合）である。
【図２】本実用新案の好ましい実施の形態の空調システムを示す構成概念図（除霜状態にない場合）である。
【図３】本実用新案の好ましい実施の形態の電磁パイロット三方弁を示す外観斜視図である。
【図４】本実用新案の好ましい実施の形態の電磁パイロット三方弁を示す第一断面図である。
【図５】本実用新案の好ましい実施の形態の電磁パイロット三方弁を示す第二断面図である。
【図６】本実用新案の好ましい実施の形態の電磁パイロット三方弁を示す部分の展開図である。
【図７】本実用新案の好ましい実施の形態のパイロット弁を示す断面図である。
【考案を実施するための形態】
【００１６】
本実用新案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１７】
第１実施形態
空調システムは、コンプレッサ３と、四方切換弁４と、室内熱交換器５と、スロットル部材６と、室外熱交換器７と、流路切換弁とを備える（図１参照）。コンプレッサ３はＡ１界面と、Ａ２界面と、Ａ３界面と、Ａ４界面とを含み、四方切換弁４はＣ界面と、Ｄ界面と、Ｅ界面と、Ｓ界面とを含む。室内熱交換器５はＢ１界面及びＢ２界面を含み、室外熱交換器７はＣ１界面及びＣ２界面を含み、前記流路切換弁は電磁パイロット三方弁である。電磁パイロット三方弁は、主弁１及びパイロット弁２を具備し、主弁１は主弁体１１及びピストン１２で構成され、ピストン１２により主弁体１１内部の空間が第一圧力室１１１及び第二圧力室１１２に分割され、主弁体１１の第二圧力室１１２に対応する部位にはＡ連通管１０、Ｂ連通管２０及びＣ連通管３０が連結され、パイロット弁２にはａ毛細管４０、ｂ毛細管５０及びｃ毛細管６０が連結される。コンプレッサ３のＡ１界面は四方切換弁４のＤ界面及びａ毛細管４０に連通され、コンプレッサ３のＡ２界面及びコンプレッサ３のＡ３界面は四方切換弁４のＳ界面にそれぞれ連通され、室内熱交換器５のＢ１界面は四方切換弁４のＥ界面に連通され、室内熱交換器５のＢ２界面と室外熱交換器７のＣ１界面との間はスロットル部材６により連通される。室外熱交換器７のＣ２界面はＡ連通管１０に連通され、Ｂ連通管２０は四方切換弁４のＣ界面に連通され、Ｃ連通管３０はコンプレッサ３のＡ４界面及びｃ毛細管６０にそれぞれ連通され、ｂ毛細管５０は第一圧力室１１１に連通される。
【００１８】
主弁１は、ブラケット１３と、スライドブロック１４と、第一弾性部材１５と、弁座部材１６と、ねじくぎ１８とをさらに備える。図３、図４及び図６に示すように、ピストン１２には軸方向に貫通孔１２１が設けられ、ブラケット１３のピストン１２に近接する一側にはねじ山孔１３２が設けられ、ねじくぎ１８は貫通孔１２１を貫通させてねじ山孔１３２のねじ山に連結され、ブラケット１３がピストン１２の椀状の底側に固定される。スライドブロック１４からは凸部１４１が上に向けて延伸され、ブラケット１３のピストン１２から離れる一側には凸部１４１に組み合わせられる装設孔１３１が設けられ、凸部１４１は装設孔１３１内に挿入されると共に装設孔１３１の軸方向に沿って運動し、ブラケット１３とスライドブロック１４との間には第二弾性部材１７が挟持される。前記第二弾性部材１７はばね板であり、第二弾性部材１７には凸部１４１に組み合わせられる回避孔１７１が設けられ、凸部１４１は回避孔１７１を貫通させて装設孔１３１内に挿入される。また、前記第一弾性部材１５はコイルばねであり、第一弾性部材１５はブラケット１３に被覆される。弁座部材１６は弁座１６１及び弁座１６１に連結される支持フレーム１６２を備え、弁座１６１にはＣ界面１６１１及びＢ界面１６１２が設けられる。Ｂ連通管２０が主弁体１１に連結されると、Ｂ連通管２０と第二圧力室１１２との間がＢ界面１６１２により連通される。Ｃ連通管３０が主弁体１１に連結されると、Ｃ連通管３０と第二圧力室１１２との間がＣ界面１６１１により連通される。支持フレーム１６２の下端には切欠き部が設けられ、本考案では描写しやすくするために下切欠き部１６２１と呼び、弁座１６１が下切欠き部１６２１内に挿入され、これにより、支持フレーム１６２が弁座１６１に連結される。スライドブロック１４は弁座１６１の上方に位置され、第二弾性部材１７から解放される弾性位置エネルギーにより、スライドブロック１４が弁座１６１に貼り合わせられる。ピストン１２が第一圧力室１１１に向けて移動すると、スライドブロック１４によりＣ界面１６１１が密封される。ピストン１２が第二圧力室１１２に向けて移動すると、スライドブロック１４によりＢ界面１６１２が密封される。
【００１９】
パイロット弁２は、パイロット弁体２１と、ダクト２２と、パイロット弁座２３と、コイルキット２４とを備える（図７参照）。パイロット弁座２３はパイロット弁体２１に内設され、ダクト２２はパイロット弁体２１に連結され、コイル部材２４はダクト２２に巻装される。ダクト２２には、アトラクター２５、中子用心金（core iron）２６及び第三弾性部材２７が内設され、前記第三弾性部材２７はコイルばねであり、中子用心金２６にはパイロット弁座２３の箇所まで延伸される運び台２８が設置され、運び台２８にはパイロット弁座２３に貼り合わせられる滑動部２９が設けられる。パイロット弁２がコイル部材２４に対して励磁を行うと、中子用心金２６がアトラクター２５の方向に移動する。中子用心金２６がアトラクター２５の方向に移動する過程では、中子用心金２６が運び台２８により滑動部２９を連動させてパイロット弁座２３に対して移動させ、これにより、ａ毛細管４０とｂ毛細管５０との連通を実現させる。パイロット弁２がコイル部材２４に対して励磁を行わない場合、第三弾性部材２７により中子用心金２６が駆動されてアトラクター２５から離れる方向に移動する。中子用心金２６がアトラクター２５から離れる方向に移動する過程では、中子用心金２６が運び台２８により滑動部２９を連動させてパイロット弁座２３に対して移動させ、これにより、ｂ毛細管５０とｃ毛細管６０との連通を実現させる。
【００２０】
コンプレッサ３のＡ１界面は四方切換弁４のＤ界面及びａ毛細管４０に連通され、これにより、コンプレッサ３のＡ１界面内の高圧ガスが四方切換弁４のＤ界面内まで運動するほか、ａ毛細管４０内までさらに運動する（図１参照）。
【００２１】
図１及び図７に示すように、空調システムが除霜状態にある場合、室内熱交換器５は凝縮機の作用を発生させ、室外熱交換器７が蒸発器の作用を発生させ、パイロット弁２がコイル部材２４に対して励磁を行い、ａ毛細管４０とｂ毛細管５０との連通を実現させる。コンプレッサ３のＡ１界面内の高圧ガスの内の何れか１本の運動経路は、コンプレッサ３のＡ１界面→ａ毛細管４０→ｂ毛細管５０→第一圧力室１１１である。高圧ガスが第一圧力室１１１内まで持続的に運動すると、高圧ガスによりピストン１２が駆動されて第二圧力室１１２に向けて移動し、Ａ連通管１０がＣ連通管３０に連通される。このさい、コンプレッサ３のＡ１界面内の高圧ガスの他の１本の運動経路は、コンプレッサ３のＡ１界面→四方切換弁４のＤ界面→四方切換弁４のＥ界面→室内熱交換器５のＢ１界面→室内熱交換器５のＢ２界面→スロットル部材６→室外熱交換器７のＣ１界面→室外熱交換器７のＣ２界面→Ａ連通管１０→Ｃ連通管３０→コンプレッサ３のＡ４界面である。
【００２２】
また、図１及び図６に示すように、空調システムが除霜状態にある場合、コンプレッサ３のＡ２界面内の高圧ガスの運動経路とコンプレッサ３のＡ３界面内の高圧ガスの運動経路とが一致し、コンプレッサ３のＡ２界面内の高圧ガスの運動経路は、例えば、コンプレッサ３のＡ２界面→四方切換弁４のＳ界面→四方切換弁４のＣ界面→Ｂ連通管２０である。弁座１６１のＢ界面１６１２がスライドブロック１４に塞がれると、コンプレッサ３のＡ２界面内の高圧ガスはＢ連通管２０内まで運動するのみである。
【００２３】
なお、図２及び図７に示すように、空調システムが除霜状態にない場合、室内熱交換器５が蒸発器の作用を発生させ、室外熱交換器７が凝縮機の作用を発生させ、パイロット弁２がコイル部材２４に対して励磁を行わず、ａ毛細管４０とｂ毛細管５０との間の管路が断絶される。コンプレッサ３のＡ１界面内の高圧ガスの何れか１本の運動経路は、コンプレッサ３のＡ１界面→ａ毛細管４０である。パイロット弁２がコイル部材２４に対して励磁（field excitation）を行わない場合、ｂ毛細管５０がｃ毛細管６０に連通され、第一圧力室１１１内の高圧ガスの運動経路は、第一圧力室１１１→ｃ毛細管６０→ｂ毛細管５０→Ｃ連通管３０→コンプレッサ３のＡ４界面である。第一圧力室１１１内の高圧ガスがコンプレッサ３まで運動した後、第一弾性部材１５によりピストン１２が駆動されて第一圧力室１１１に向けて移動し、Ａ連通管１０とＢ連通管２０との連通を実現させる。このさい、コンプレッサ３のＡ１界面内の高圧ガスの他の１本の運動経路は、コンプレッサ３のＡ１界面→四方切換弁４のＤ界面→四方切換弁４のＣ界面→Ｂ連通管２０→Ａ連通管１０→室外熱交換器７のＣ２界面→室外熱交換器７のＣ１界面→スロットル部材６→室内熱交換器５のＢ２界面→室内熱交換器５のＢ１界面→四方切換弁４のＥ界面→四方切換弁４のＳ界面→コンプレッサ３のＡ２界面（或いはコンプレッサ３のＡ３界面）である。
【００２４】
図４及び図６に示すように、本実施形態では、支持フレーム１６２の上端には切欠き部が設置され、本考案では描写しやすくするためにこれを上切欠き部１６２２と呼び、上切欠き部１６２２は主弁体１１に対して径方向に設置される。この設計により、第二圧力室１１２の支持フレーム１６２の二側に位置される冷却剤の流通が増加する。弁座１６１が下切欠き部１６１１に挿入された後、弁座１６１と支持フレーム１６２とが連結されて一体となり、且つ二者が包囲することで１つの環状の経路が形成され、環状の経路によりスライドブロック１４１の回転が制限される。
【００２５】
本実施形態において、ブラケット１３には通気孔１３３が設けられる。この設計により、第二圧力室１１２のブラケット１３の二側に位置される冷却剤の流通が増加する（図４及び図６参照）。
【００２６】
図４及び図５に示すように、Ａ連通管１０、Ｂ連通管２０及びＣ連通管３０と主弁体１１との間の連結位置がそれぞれ改変され、ａ毛細管４０、ｂ毛細管５０及びｃ毛細管６０とパイロット弁２との間の連結位置もそれぞれ改変される。図４に示すように、Ａ連通管１０を例にすると、本実施形態では、Ａ連通管１０が主弁体１１の上端に連結される。また、本考案の他の実施形態によると、Ａ連通管１０は主弁体１１の側壁に連結されてもよい（図５参照）。
【００２７】
第２実施形態
空調システムは、コンプレッサと、四方切換弁と、室内熱交換器と、スロットル部材と、室外熱交換器と、流路切換弁とを備え、コンプレッサは、Ａ１界面と、Ａ２界面と、Ａ３界面と、Ａ４界面とを含み、四方切換弁は、Ｃ界面と、Ｄ界面と、Ｅ界面と、Ｓ界面とを含む。室内熱交換器は、Ｂ１界面及びＢ２界面を含み、室外熱交換器はＣ１界面及びＣ２界面を含む。前記流路切換弁は電磁パイロット三方弁であり、電磁パイロット三方弁は主弁及びパイロット弁を具備し、主弁は主弁体及びピストンで構成され、ピストンにより主弁体内部の空間が第一圧力室及び第二圧力室に分割される。主弁体の第二圧力室に対応する部位にはＡ連通管、Ｂ連通管及びＣ連通管が連結され、パイロット弁にはａ毛細管、ｂ毛細管及びｃ毛細管が連結される。コンプレッサのＡ１界面は四方切換弁のＤ界面及びａ毛細管に連通され、コンプレッサのＡ２界面及びコンプレッサのＡ３界面は四方切換弁のＳ界面にそれぞれ連通され、室内熱交換器のＢ１界面は四方切換弁のＥ界面に連通される。室内熱交換器のＢ２界面と室外熱交換器のＣ１界面との間はスロットル部材により連通され、室外熱交換器のＣ２界面はＡ連通管に連通され、Ｂ連通管は四方切換弁のＣ界面に連通され、Ｃ連通管はコンプレッサのＡ４界面及びｃ毛細管にそれぞれ連通され、ｂ毛細管は第一圧力室に連通される。
【００２８】
本実施形態の第１実施形態との差異は、本実施形態では、弁座部材が弁座を備え、弾性部材の一端がピストンに当接され、弾性部材の他端が弁座に当接される点である。本考案の他の実施形態によれば、弾性部材はピストンと主弁体の内壁との間に挟持されてもよい。総合すると、本実施形態の有益な効果は、主弁内の部材の数量を減らし、主弁の製造コストを減少させる点である。
【００２９】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、後述の請求項に含まれるものとする。
【符号の説明】
【００３０】
３      コンプレッサ
４      四方切換弁
５      室内熱交換器
６      スロットル部材
７      室外熱交換器
１      主弁
２      パイロット弁
１１    主弁体
１２    ピストン
１１１  第一圧力室
１１２  第二圧力室
１０    Ａ連通管
２０    Ｂ連通管
３０    Ｃ連通管
４０    毛細管
５０    毛細管
６０    毛細管
１３    ブラケット
１４    スライドブロック
１５    第一弾性部材
１６    弁座部材
１８    ねじくぎ
１２１  貫通孔
１３２  ねじ山孔
１４１  凸部
１７    第二弾性部材
２１    パイロット弁体
２２    ダクト
２３    パイロット弁座
２４    コイルキット
２５    アトラクター
２６    中子用心金
２７    第三弾性部材
２８    運び台
２９    滑動部
１３３  通気孔
【図１】
0003203262.tif 000003
【図２】
0003203262.tif 000004
【図３】
0003203262.tif 000005
【図４】
0003203262.tif 000006
【図５】
0003203262.tif 000007
【図６】
0003203262.tif 000008
【図７】
0003203262.tif 000009
【手続補正書】
【提出日】平成28年1月19日(2016.1.19)
【手続補正１】
【補正対象書類名】実用新案登録請求の範囲
【補正対象項目名】全文
【補正方法】変更
【補正の内容】
【実用新案登録請求の範囲】
【請求項１】
電磁パイロット式三方弁は、主弁及びパイロット弁を備え、前記主弁は主弁体と、ピストンと、ブラケットと、スライドブロックと、第一弾性部材とを含み、前記ピストンにより主弁体内部の空間が第一圧力室及び第二圧力室に分割され、前記スライドブロックとピストンとの間はブラケットにより連結され、前記主弁体は第二圧力室に対応する部位にＡ連通管、Ｂ連通管及びＣ連通管が連結され、前記パイロット弁にはａ毛細管、ｂ毛細管及びｃ毛細管が連結され、前記パイロット弁によりｂ毛細管のａ毛細管或いはｃ毛細管への連通が制御され、前記ｂ毛細管が第一圧力室に連結され、前記ｃ毛細管がＣ連通管に連通され、ｂ毛細管がｃ毛細管に連通される状態では、第一弾性部材によりピストンが駆動されて第一圧力室に向けて移動し、Ａ連通管がＢ連通管に連通され、ｂ毛細管がａ毛細管に連通される状態では、ａ毛細管内に入れられる高圧ガスにより、ピストンが駆動されて第二圧力室に向けて移動し、Ａ連通管がＣ連通管に連通されることを特徴とする電磁パイロット三方弁。
【請求項２】
前記主弁は第二圧力室内に設置される弁座部材をさらに備え、前記第一弾性部材はピストンと弁座部材との間に挟持される、ことを特徴とする請求項1に記載の電磁パイロット三方弁。
【請求項３】
前記弁座部材は弁座及び弁座に連結される支持フレームを備え、前記第一弾性部材の一端がピストンに当接され、前記第一弾性部材の他端が弁座及び支持フレームにそれぞれ当接される、ことを特徴とする請求項2に記載の電磁パイロット三方弁。
【請求項４】
前記スライドブロックとブラケットとの間には第二弾性部材が挟持され、前記スライドブロックは第二弾性部材に推動されてブラケットに従って移動すると共に弁座に貼り合わされる、ことを特徴とする請求項3に記載の電磁パイロット三方弁。
【請求項５】
前記支持フレームには切欠き部が設けられる、ことを特徴とする請求項3に記載の電磁パイロット三方弁。
【請求項６】
前記支持フレームが弁座に連結された後に包囲されて環状の経路が形成され、前記ブラケット及びスライドブロックが環状の経路を貫通させる、ことを特徴とする請求項3に記載の電磁パイロット三方弁。
【請求項７】
前記ブラケットには通気孔が設けられる、ことを特徴とする請求項1に記載の電磁パイロット三方弁。
【請求項８】
空調システムは、コンプレッサと、四方切換弁と、室内熱交換器と、スロットル部材と、室外熱交換器と、流路切換弁とを備える、前記室内熱交換器及び流路切換弁は四方切換弁によりコンプレッサにそれぞれ連通され、前記室内熱交換器と室外熱交換器との間はスロットル部材により連通され、前記流路切換弁は室外熱交換器に連通される、前記流路切換弁は上述の請求項1ないし7のいずれかの請求項に記載の電磁パイロット三方弁であることを特徴とする空調システム。